(57)【特許請求の範囲】
【請求項１】
着脱可能な機能モジュールと、
該機能モジュールを収納するためのソケットと、を有し、
前記ソケットは、アンテナ機能を発揮するアンテナ部と、前記機能モジュールを保持する保持部と、を有し、
該アンテナ部と内蔵される前記機能モジュールとが電磁気的に結合され、
前記アンテナ部と前記保持部は、電磁気的に非結合状態となるように接続部によってスタブ接続されている
携帯電子機器。
【請求項２】
前記接続部は、前記機能モジュールが使用する波長の４分の１の長さの第１のショートスタブによって形成されている
請求項１に記載の携帯電子機器。
【請求項３】
前記ソケットの側面には第２のショートスタブが形成され、
前記第２のショートスタブは、千鳥状の側面スリットによって、前記機能モジュールが使用する波長の４分の１の長さを有する
請求項２に記載の携帯電子機器。
【請求項４】
前記アンテナ部は、スリットが形成されている
請求項１〜３いずれか１項に記載の携帯電子機器。
【請求項５】
前記機能モジュールは、内蔵アンテナを有し、
前記アンテナ部は、前記内蔵アンテナと電磁気的に結合されて、アンテナ機能を発揮する
請求項１〜４いずれか１項に記載の携帯電子機器。
【請求項６】
前記アンテナ部は、前記内蔵アンテナとの電磁気的な結合を強化するためのコイルを有する
請求項５に記載の携帯電子機器。
【請求項７】
前記内蔵アンテナは、チップアンテナによって形成されている
請求項５又は６に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、接触型又は非接触型のＩＣカードを、別の種類の非接触型の情報入力端子装置対応させる為のＩＣカード用非接触アダプタ装置が開示されている。
【先行技術文献】
【特許文献】
【０００３】
【特許文献１】特開２０００―２２７９４９号公報
【発明の概要】
【発明が解決しようとする課題】
【０００４】
しかしながら、着脱可能な無線通信モジュールを金属ソケットに装着した場合には、ソケットの影響を受けアンテナ感度が劣化するという不利益がある。
【０００５】
本発明の目的は、アンテナ感度の高い携帯電子機器を提供することである。
【課題を解決するための手段】
【０００６】
本発明の携帯電子機器は、着脱可能な機能モジュールと、該機能モジュールを収納するためのソケットと、を有し、前記ソケットは、アンテナ機能を発揮するアンテナ部と、前記機能モジュールを保持する保持部と、を有し、該アンテナ部と内蔵される前記機能モジュールとが電磁気的に結合され、前記アンテナ部と前記保持部は、電磁気的に非結合状態となるように接続部によってスタブ接続されている。
【０００８】
好適には、前記接続部は、前記機能モジュールが使用する波長の４分の１の長さの第１のショートスタブによって形成されている。
【０００９】
好適には、前記ソケットの側面には第２のショートスタブが形成され、前記第２のショートスタブは、千鳥状の側面スリットによって、前記機能モジュールが使用する波長の４分の１の長さを有する。
【００１０】
好適には、前記アンテナ部は、スリットが形成されている。
【００１１】
好適には、前記機能モジュールは、前記通信モジュールの少なくとも一部を構成するとともに内蔵アンテナを有し、前記アンテナ部は、前記内蔵アンテナと電磁気的に結合されて、アンテナ機能を発揮する。
【００１２】
好適には、前記アンテナ部は、前記内蔵アンテナとの電磁気的な結合を強化するためのコイルを有する。
【００１３】
好適には、前記内蔵アンテナは、チップアンテナによって形成されている。
【発明の効果】
【００１４】
本発明によると、アンテナ感度の高い携帯電子機器を提供することができる。
【図面の簡単な説明】
【００１５】
【図１】本発明の実施形態に係る携帯電話機の外観を示す斜視図である。
【図２】図１の携帯電話機の信号処理系を示すブロック図である。
【図３】ソケットの構成を説明する説明図である。
【図４】回路基板のソケットに通信モジュールが挿入される様子の説明図である。
【図５】通信モジュールがソケットに挿入された状態の説明図である。
【図６】本実施形態の比較例である。
【図７】本発明の第１の変形例である。
【図８】本発明の第２の変形例である。
【図９】本発明の第３の変形例である。
【図１０】本発明の第４の変形例である。
【図１１】図１０のＸ−Ｘ断面の説明図である。
【発明を実施するための形態】
【００１６】
図１は、本発明の実施形態に係る携帯電話機１の外観を示す斜視図である。
【００１７】
携帯電話機１は、折り畳み式として構成されている。
携帯電話機１は第１筐体及び第２筐体とで構成されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１８】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１９】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００２０】
また、第１筐体２においてヒンジ部９に向かう方向を結合部方向（図１の第１筐体２においては、紙面下の方向）といい、その逆を結合部反対方向（図１の第１筐体２においては、紙面上方向）という。
同様に、第２筐体３においても、ヒンジ部９に向かう方向を結合部方向（図１の第２筐体３においては、紙面上の方向）といい、その逆を結合部反対方向（図１の第２筐体３においては、紙面下の方向）という。
【００２１】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００２２】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２３】
また、図１のように、第２筐体フロントケース６の表面方向には、入力部１０が配置されている。この入力部１０をユーザが操作することによって、携帯電話機１に命令の入力、文字の入力等がなされる。
【００２４】
図２は、図１の携帯電話機１の信号処理系を示すブロック図である。
【００２５】
図２に示されるように、携帯電話機１は、制御・処理の中枢である制御部５７と、電源制御部５０と、通信部５１と、操作部５２と、音声入出力部５３と、表示部８と、記憶部５６のそれぞれが、アドレス、データ、コントロールのためのラインが複数本からなるシステムバス５８に共通に接続され、構成される。
【００２６】
電源制御部５０は、携帯電話機１が携帯して使用されている場合には、携帯電話機１内の、表示部８及び制御部５７等が実装される回路基板等への電力の供給を制御している。
また、充電時には充電回路を制御して、バッテリへの充電開始及び停止、並びに充電の速度等を制御している。
【００２７】
通信部５１は、無線通信システムを捕捉し、通信ネットワークに接続される基地局２００との間で無線通信を行い、各種データの送受信を行う。
各種データとは、Ｗｅｂ上のダウンロードサイトからダウンロードされるファイルのデータ、音声通話時の音声データ、メール送受信時のメールデータ、ウェブ閲覧時のウェブページデータ、等である。
通信部５１は、通信モジュール１００とソケット１０１（図３を参照のこと）のアンテナ部１０１ａから構成されている。
図３のところで詳説するが、ソケット１０１は、本来通信モジュール１００を保持することを主たる目的としている。
通信モジュール１００は、その内部には通信を行うための各種回路、アンテナがユニット化されている。
具体的に通信モジュール１００が包含する部品は、通信モジュールアンテナ１００ａ、パワーアンプ１００ｂ、変調回路１００ｃ、ベースバンド回路１００ｄ（Base Band）等である。
ここで、パワーアンプ１００ｂ、変調回路１００ｃ及びベースバンド回路１００ｄを通信回路１００ｅという。
このように通信モジュール１００を用いられるのが最近の携帯電子機器の通信分野においては一般的になっている。
その理由は、パッケージ化されているため、単にスロット１０１に通信モジュール１００を挿入すれば使用可能となるために設計、組立等が容易であるからである。
ベースバンド回路１００ｄが発生する基本となる周波数を、変調回路１００ｃがその位相、振幅等を変調させて通信波を作成している。
さらに、変調回路１００ｄが生成した通信波は、パワーアンプ１００ｂによって増幅されて内蔵アンテナ１００ａから、基地局２００に送られる。
【００２８】
通信モジュール１００は通信モジュールアンテナ１００ａを有しており、この通信モジュールアンテナ１００ａは基地局２００と通信を行うためのアンテナである。
通常は、この通信モジュールアンテナ１００ａのみがアンテナとして作用して基地局１００と通信するものである。
しかし、本発明の実施形態では、ソケット１０１のアンテナ部１０１ａをもアンテナとして作用させるものである。
つまり、本発明の実施形態では、通常であれば通信モジュール１００を保持する機能しか有しないソケット１０１にアンテナ機能をも付与するものである。
【００２９】
操作部５２は、入力部１０及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００３０】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換してスピーカに出力する。
【００３１】
表示部８は、例えばＬＣＤやＯＬＥＤを用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００３２】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
また、記憶部５６ではダウンロードが完了したファイルも記憶する。
【００３３】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示等）を制御する。
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部５６に格納されるオペレーティングシステムやアプリケーションプログラム等のプログラムから命令コードを順次受け取って処理を実行する。
【００３４】
図３は、ソケットの構成を説明する説明図である。
【００３５】
携帯電話機１の第１筐体２及び第２筺体３には、回路基板１０２が配置されている。
そして、この回路基板１０２にソケット１０１が設けられている。このソケット１０１は、通信モジュール１００が挿入されて、通信モジュール１００を固定する機能を有している。
また、後述するが、通信モジュール１００の内蔵アンテナ１００ａと電磁気的に結合してアンテナの役割をも果たす。
【００３６】
ソケット１０１は、一つの方向が開口している高さが低い直方体形状を有している。
また、ソケット１０１は回路基板１０２に固定されている。そして、ソケット１０１は通信モジュール１００を固定する機能をも有しているのであるから、通信モジュール１００も回路基板１０２に対して固定されていることになる。
ソケット１０１の開口側から通信モジュール１００が挿入される。
ソケット１０１は、アンテナ部１０１ａ及び保持部１０１ｂを有している。アンテナ部１０１ａ及び保持部１０１ｂは直方体を２分割した形状を有している。
そして、保持部１０１ｄの挿入方向の奥側位置には、ソケット側コネクタ１０１ｆが配置されている。図４のところで詳説するが、通信モジュール１００にも挿入方向の先端位置に通信モジュール側コネクタ１００ｆが配置されており、通信モジュール１００がソケット１０１に挿入されると、ソケット側コネクタ１０１ｆと通信モジュール側１００ｆとが接合して電気的に結合する。
保持部１０１ｂに設けられたソケット側コネクタ１０１ｆは、回路基板１０２のシステムバス５８と電気的に接続される（図２参照のこと）。
アンテナ部１０１ａは主として通信モジュール１００の通信モジュールアンテナ１００ａと電磁気的に結合してアンテナ機能を発揮するものである。
もっとも、アンテナ部１０１ａの機能はアンテナ機能のみではなく、通信モジュール１００が移動等しないように保持する機能をも有する。
他方で、保持部１０１ｂは、通信モジュール１００を保持する機能を主に有している。もっとも、この保持部１０１ｂは通信モジュール１００を保持する機能だけではなく、通信モジュール１００と回路基板１０２とを電気的に結合させる機能をも有する。
つまり、回路基板１０２上の回路と保持部１０１ｂのソケット側コネクタ１０１ｆとは結合される。
さらに、保持部１０１ｂは、通信モジュール１００がソケット１０１に挿入された場合に、持部１０１ｂは通信モジュール１００の通信回路１００ｅを覆う構成となっている。その上、保持部１０１ｂは基準電位部分と接続される。
このような構成によって、通信モジュール１００の通信回路１００ｅを電磁的にシールドすることが可能となっている。
以上により、保持部１０１ｂは、通信モジュール１００を保持する機能、通信モジュール１００の通信回路１００ｄと回路基板１０２を電気的に結合する機能、通信モジュール１００の通信回路を電磁シールドする機能を有する。
【００３７】
通信モジュール１００の外観は樹脂で形成されている。また、通信モジュール１００をソケット１０１に収納した際に、グランドの一部と接続部１０１ｃであるスタブと近接するように構成される。
これによって、接続部１０１ｃであるスタブを小型化することが可能となり、かつ、スタブの機能が安定化される。
【００３８】
アンテナ部１０１ａと保持部１０１ｂとは、接続部１０１ｃによって結合されている。
したがって、低周波的にはアンテナ部１０１ａと保持部１０１ｂは電磁的にも結合していることになる。
しかし、この接続部１０１ｃは、図３の様に、スタブ形状を有していることから、高周波的にはアンテナ部１０１ａと保持部１０１ｂとは電磁的に結合していないといえる。
ここで、図３の様にスタブ形状を有していると高周波的には結合していないことの理由を説明する。
携帯電話機１で使用される高周波数の無線電波は、アンテナ部１０１ａにおいて受信されるが、波長が短いため、たとえ電気的に結合されていても、折れ曲がりかつ細いスタブ形状の接続部１０１を通過することができないからである。
なお、接続部１０１ｃの形状は電磁気的に結合させないものであればどのようなものであってもよい。
【００３９】
図４は、回路基板１０２のソケット１０１に通信モジュール１００が挿入される様子の説明図である。
【００４０】
図４のように、ソケット１０１の開口部分から通信モジュール１００は挿入される。
通信モジュール１００の先端部には通信モジュール側コネクタ１００ｆが形成されている。そして、通信モジュール１００がソケット１０１に挿入されると、通信モジュール側コネクタ１００ｆは、ソケット１０１の奥側に配置されているソケット側コネクタ１０１ｆと結合する。
これによって、通信モジュール１００の内部に配置されている通信回路１００ｅと回路基板とが電気的に結合される。そして、携帯電話機１は通信が可能となる。
【００４１】
通信モジュール１００の通信回路１００ｅの少なくとも一部は、通信モジュール１００がソケット１０１に挿入された際に、保持部１０１ｂによって覆われる位置に配置される。
【００４２】
通信モジュール１００の内蔵アンテナ１００ａは、通信モジュール１００がソケット１０１に挿入された際に、アンテナ部１０１ａによって覆われる位置に配置される。
なお、内蔵アンテナ１００ａの位置は、通信モジュール１００の型側面に寄せられるのが好適である。
その理由は、アンテナ部１０１ａをモノポールアンテナとして利用ができるからである。
逆に言うと、万一、内蔵アンテナ１００ａを通信モジュール１００の中央に配置してしまうと、アンテナ部１０１ａはダイポールアンテナとなってしまうからである。
【００４３】
図５は、通信モジュール１００がソケット１０１に挿入された状態の説明図である。
図６は、本実施形態の比較例である。
【００４４】
図５のように、通信モジュール１００の通信回路１００ｅの少なくとも一部は、通信モジュール１００がソケット１０１に挿入された際に、保持部１０１ｂによって覆われる位置に配置されている。
また、通信モジュール１００の内蔵アンテナ１００ａは、通信モジュール１００がソケット１０１に挿入された際に、アンテナ部１０１ａによって覆われる位置に配置されている。
【００４５】
これに対して、図６のように、ソケット１０１がアンテナ部１０１ａを有していない場合には、内蔵アンテナ１００ａはソケット１０１の外部に配置しなければならない。
その理由は、本発明の実施例の様に接続部１０１ｃによって接続されたアンテナ部１０１ａを有さないソケット１０１によって、内蔵アンテナ１００ａが覆われてしまうと、電磁シールドされてしまい、通信が困難となってしまうからである。
そして、内蔵アンテナ１００ａはソケット１０１の外部に配置してしまうと、通信モジュール１００がソケット１０１によって保持されていない部分が多くなってしまう。
その結果、通信モジュール１００を安定的に十分にソケット１０１が保持できなくなってしまうからである。
【００４６】
以上の様に、本発明の実施形態は、接続部１０１ｃによって接続されたアンテナ部１０１ａを有していることから、通信モジュール１００を確実に保持することができる。
さらに、内蔵アンテナ１００ａに加えて、面積及び長さの長いアンテナ部１０１ａを有するのであるから、より通信状態が改善される。
【００４７】
＜第１の変形例＞
図７は、本発明の第１の変形例である。
【００４８】
図７の様に、アンテナ部１０１ａに交互にスリット１０１ｄを設ける。これによって点線の様にアンテナが長くなった場合と同様の効果を発揮することができる。
つまり、スリット１０１ｄを設けることによって、アンテナ感度の向上させることができる。
【００４９】
＜第２の変形例＞
図８は、本発明の第２の変形例である。
【００５０】
アンテナ部１０１ａと内蔵アンテナ１００ａとは、アンテナ部１０１ａの長さ等を調節して電磁気的に結合されているが、そのままでは電磁気的な結合が十分ではない場合がありうる。
そこで、アンテナ部１０１ａにコイル１０１ｅを配置して、内蔵アンテナ１００ａとアンテナ部１０１ａとの電磁気的な結合を強化する。
つまり、コイル１０１ｅを設けることによって、アンテナ感度の向上させることができる。
【００５１】
＜第３の変形例＞
図９は、本発明の第３の変形例である。
【００５２】
図９の様に、接続部１０１ｃを１個のスタブによって形成する。このスタブ部分を第１のショートスタブ１０１ｈという。
この第１のショートスタブ１０１ｈは携帯電話機１が使用する電波の波長の４分の１の長さに形成する。
このように、第１のショートスタブ１０１ｈが、携帯電話機１が使用する電波の波長の４分の１の長さに形成されることによって、アンテナ部１０１ａと保持部１０１ｂとを電磁気的に非結合状態にすることができる。
また、ソケット１０１の側面にも接続部１０１ｃが形成される。この部分を第２のショートスタブ１０１ｉという。
この第２のショートスタブ１０１には、側面スリット１０１ｇが形成されている。
このように、側面スリット１０１ｇが形成されていることによって、アンテナ部１０１ａと保持部１０１ｂとを電磁気的に非結合状態にすることができる。
【００５３】
＜第４の変形例＞
図１０は、本発明の第４の変形例である。
【００５４】
以上の実施例では、通信モジュール１００の内蔵アンテナ１００ａと、ソケット１０１のアンテナ部１０１ａとは電磁気的には結合していたが、物理的に通電可能とはしていなかった。
しかし、本実施例の上位概念は、通信モジュール１００を保持するソケット１０１にアンテナ機能を持たせるということである。
したがって、通電可能とすることも可能である。
図１０のように、通信モジュール１００の一部にコネクタ１００ｈを設けて、ソケット１０１と通電させる。
そして、ソケット１０１をアンテナとして機能させる。
【００５５】
図１１は、図１０のＸ−Ｘ断面の説明図である。
図１１の様に、コネクタ１００ｈは、バネ１００ｊによって外部方向に付勢されている。
通信モジュール１００がソケット１０１に挿入されると、この付勢によってコネクタ１００ｈはソケット１０１と密着する。
そうすることによって、コネクタ１００ｈとソケット１０１が通電する。
また、コネクタ１００ｈとバネ１００ｊとは、通電可能に形成されている。
さらに、バネ１００ｊと通信回路１００ｅとは接続線１００ｉによって通電されている。
したがって、ソケット１０１と通信回路１００ｅとは電気的に通電しており、ソケット１０１はアンテナとして機能する。
なお、コネクタ１００ｈは本実施形態においては通信モジュール１００側に設けているが、コネクタ１００ｈはソケット１０１側に形成してもよい。
【００５６】
また、接続部１０１ｃを設けずに樹脂等によってアンテナ部１０１ａと保持部１０１ｂとを連結してもよい。
【００５７】
以上の実施形態によれば、着脱可能な通信モジュール１００と、該通信モジュール１００を収納するためのソケット１０１と、を有している。
そして、ソケット１０１の少なくとも一部にはアンテナ部が形成され、該アンテナ部と内蔵される通信モジュールとが電磁気的に結合されている。
このように構成したことによって、ソケット１０１をアンテナとして機能させることができる。
このことは、大きいアンテナを使用することができることを意味し、アンテナ感度の向上という効果が発揮される。
【００５８】
ソケット１０１は、アンテナ機能を発揮するアンテナ部１０１ａと、通信モジュール１００を保持する保持部１０１ｂと、を有している。
アンテナ部１０１ａと保持部１０１ｂは、電磁気的に非結合状態となるように接続部１０１ｃによってスタブ接続されている。
このような構成によって、接続部１０１ｃによって接続されたアンテナ部１０１ａを有していることから、通信モジュール１００を確実に保持することができる。
さらに、内蔵アンテナ１００ａに加えて、面積及び長さの長いアンテナ部１０１ａを有するのであるから、より通信状態が改善される。
【００５９】
接続部１０１ｃは、通信モジュール１００が使用する波長の４分の１の長さの第１のショートスタブ１０１ｈによって形成されている
このように、第１のショートスタブ１０１ｈが、携帯電話機１が使用する電波の波長の４分の１の長さに形成されることによって、アンテナ部１０１ａと保持部１０１ｂとを電磁気的に非結合状態にすることができる。
【００６０】
ソケット１０１の側面には第２のショートスタブ１０１ｉが形成されている。
そして、第２のショートスタブ１０１ｉは、千鳥状の側面スリット１０１ｇによって、通信モジュール１００が使用する波長の４分の１の長さを有する
このように構成することによって、アンテナ部１０１ａと保持部１０１ｂとを電磁気的に非結合状態にすることができる。
【００６１】
アンテナ部１０１ａは、スリットが形成されている。
このような構成によって、点線の様にアンテナが長くなったのと同様の効果を発揮することができる。
つまり、スリット１０１ｄを設けることによって、アンテナ感度の向上させることができる。
【００６２】
通信モジュール１００は、通信モジュール１００の少なくとも一部を構成するとともに内蔵アンテナ１００ａを有している。
アンテナ部１０１ａは、内蔵アンテナ１００ａと電磁気的に結合されて、アンテナ機能を発揮する。
このように構成したことによって、接続部１０１ｃによって接続されたアンテナ部１０１ａを有していることから、通信モジュール１００を確実に保持することができる。
さらに、内蔵アンテナ１００ａに加えて、面積及び長さの長いアンテナ部１０１ａを有するのであるから、より通信状態が改善される。
【００６３】
前記アンテナ部１０１ａは、内蔵アンテナ１００ａとの電磁気的な結合を強化するためのコイル１０１ｅを有する。
このような構成としたことによって、アンテナ部１０１ａと内蔵アンテナ１００ａとの間の電磁波的な結合を強化することができる。
【００６４】
内蔵アンテナ１００ａは、チップアンテナによって形成されている。
このように、チップアンテナを用いることによって、より小型な通信モジュール１００を用いることができる。
そしてこのことは、携帯電話機１をより小型化することができるという効果がある。
また、通信モジュール１００は機能モジュールの一例である。
【００６５】
本発明は、以上の実施形態に限定されず、種々の態様で実施されてよい。
【００６６】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００６７】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、５０…電源制御部、５１…通信部、５２…操作部、５３…音声入出力部、５６…記憶部、５７…制御部、１００…通信モジュール（機能モジュール）、１００ａ…内蔵アンテナ、１００ｂ…パワーアンプ、１００ｃ…変調回路、１００ｄ…バンドベースＢＢ回路、１００ｅ…通信回路、１００ｆ…通信モジュール側コネクタ、１０１ｈ…コネクタ、１００ｉ…接続線、１００ｊ…バネ、１０１…ソケット、１０１ａ…アンテナ部、１０１ｂ…保持部、１０１ｃ…接続部、１０１ｄ…スリット、１０１ｅ…コイル、１０１ｆ…ソケット側コネクタ、１０１ｇ…側面スリット、１０１ｈ…第１のショートスタブ、１０１ｉ…第２のショートスタブ、１０２…回路基板
【図１】
0005442376.tif 000002
【図２】
0005442376.tif 000003
【図３】
0005442376.tif 000004
【図４】
0005442376.tif 000005
【図５】
0005442376.tif 000006
【図６】
0005442376.tif 000007
【図７】
0005442376.tif 000008
【図８】
0005442376.tif 000009
【図９】
0005442376.tif 000010
【図１０】
0005442376.tif 000011
【図１１】
0005442376.tif 000012